【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
分岐体内装置のための配送システムにおいて、
近位部分と遠位部分とを有する細長いシャフトを有しており、
上記遠位部分が、
分岐体内装置の少なくとも一部分の内部に配置されるよう位置決めされた、細長い一次ベルト支持部材と、
本装置を少なくとも部分的に抑圧するために、分岐体内装置の周囲に配置される形で構成された、一次ベルト支持部材へ固定されている、少なくとも１つの一次ベルトと、
抑圧構成において、一次ベルト支持部材に係合し、解放可能な形で固定するよう構成された一次解放部材と、
細長い一次ベルト支持部材に隣接して配置される、少なくとも１つの細長い二次ベルト支持部材と、
本装置を少なくとも部分的に抑圧するよう、分岐体内装置の周囲に配置されるように構成された、二次ベルト支持部材へ固定されている、少なくとも１つの二次ベルトと、
抑圧構成において、二次ベルトに係合し、解放可能な形で固定するよう構成された二次解放部材と、を備えている配送システム。
【請求項２】
一次ベルト支持部材が細長い管状部材で、分岐体内装置が抑圧状態の分岐エンドバスキュラーグラフトである、請求項１の配送システム。
【請求項３】
一次ベルト及び二次ベルトが、それぞれ、第１終端と第２終端を有するワイヤ長を含んでおり、前記第１および第２ワイヤ終端が、それぞれ、一次ベルト支持部材と二次ベルト支持部材へ固定されている、請求項１の配送システム。
【請求項４】
一次ベルト及び二次ベルトの片方または双方が、第１および第２対向終端を有し、第１対向終端が第２対向終端とは異なる断面積を有する、請求項１の配送システム。
【請求項５】
第１および第２対向終端が、それぞれ、終端ループを形成している、請求項４の配送システム。
【請求項６】
ワイヤが、ニッケルチタニウムを含んでいる、請求項３の配送システム。
【請求項７】
解放部材が、それぞれのベルトの対向ループ終端内部に、可動な形で配置された解放ワイヤを含んでいる、請求項１の配送システム。
【請求項８】
抑圧構成のベルトが、細長いシャフトの縦軸と実質的に直交する平面を形成している、請求項１の配送システム。
【請求項９】
少なくとも２つのベルトが、単一解放部材により解放可能な形で構成されている、請求項１の配送システム。
【請求項１０】
複数の一次解放部材を含み、少なくとも２つの一次解放部材の近位端がカラーコード化されている、請求項１の配送システム。
【請求項１１】
複数の一次解放部材を含み、一次解放部材の近位端が、複数のベルトに所望される展開順序に対応した配送システムの近位端において、直線的で空間的な構成となっている、請求項１の配送システム。
【請求項１２】
複数の一次解放部材が、ネスト状構成で配置された、遠位一次解放ワイヤハンドルおよび近位一次解放ワイヤハンドルを含んでいる、請求項１１の配送システム。
【請求項１３】
一次解放部材が分岐解放ワイヤを含んでいる、請求項１の配送システム。
【請求項１４】
一次ベルト支持部材へ固定された二次ベルト支持部材ハウジングをさらに含み、二次ベルト支持部材がハウジング内部を軸方向に動くよう構成され、また、ハウジングおよび二次ベルト支持部材がそれらの間の相対的な回転運動を防止するよう構成されている、請求項１の配送システム。
【請求項１５】
分岐グラフトのための配送システムにおいて、
近位部分と遠位部分を有する細長いシャフトを有しており、
上記遠位部分は、
メインボディ部分，同側脚および対側脚をその上に有する分岐グラフトを配置した部分と、
上記メインボディ部分と同側脚の内部に配置された、細長い一次ベルト支持部材と、
一次ベルト支持部材へ固定され、さらに、分岐グラフトの周囲に配置され、グラフトの少なくとも一部を抑圧する、少なくとも１つの一次ベルトと、
抑圧構成において、一次ベルトへ解放可能な形で固定された一次解放部材と、
対側脚に隣接して配置された、少なくとも１つの二次ベルト支持部材と、
二次ベルト支持部材へ固定され、さらに、分岐グラフトの周囲に配置され、グラフトの少なくとも一部を抑圧する、少なくとも１つの二次ベルトと、
抑圧構成において、二次ベルトを解放可能な形で固定する二次解放部材と、を備えている配送システム。
【請求項１６】
対側脚の近位端へ固定された第１近位自己拡張部材と、同側脚の近位端へ固定された第２近位自己拡張部材を追加的に含み、ここで、脚が異なる長さを有し、さらに、グラフトが配送システム内部で抑圧状態にあるときに、第１および第２近位自己拡張部材が、互いから軸方向にオフセットされる、請求項１５の配送システム。
【請求項１７】
対側脚の近位端へ固定された第１近位自己拡張部材と、同側脚の近位端へ固定された第２近位自己拡張部材を追加的に含み、ここで、脚が実質的に同じ長さを有し、さらに、グラフトが配送システム内部で抑圧状態にあるときに、第１および第２近位自己拡張部材が、互いから軸方向にオフセットされる形で、脚のうちの１つが軸方向に圧縮されるか、または折り畳まれる、請求項１５の配送システム。
【請求項１８】
一次ベルトが、分岐グラフトメインボディ部分の遠位端に配置された、遠位自己拡張部材を抑圧する、請求項１５の配送システム。
【請求項１９】
遠位自己拡張部材が管状ステントである、請求項１６の配送システム。
【請求項２０】
ステントが、一次ベルトの少なくとも一部分を受ける周辺溝を含んでいる、請求項１７の配送システム。
【請求項２１】
一次ベルトと二次ベルトが、それぞれ、第１終端と第２終端を有する少なくとも１つのワイヤ長を含んでおり、前記第１および第２ワイヤ終端が、それぞれ、一次ベルト支持部材と二次ベルト支持部材へ固定されている、請求項１５の配送システム。
【請求項２２】
一次ベルトと二次ベルトが、異なる直径を有する対向終端ループを持つ、少なくとも１つのワイヤ長を含んでいる、請求項１５の配送システム。
【請求項２３】
ワイヤが、ニッケルチタニウムを含んでいる、請求項２１の配送システム。
【請求項２４】
解放部材が、それぞれのベルトのループにされた対向終端内部に、可動な形で配置された解放ワイヤを含んでいる、請求項１５の配送システム。
【請求項２５】
抑圧構成のベルトが、細長いシャフトの縦軸と実質的に直交する平面を形成している、請求項１５の配送システム。
【請求項２６】
少なくとも２つの一次ベルトが、同じ解放部材により解放可能に構成されている、請求項１５の配送システム。
【請求項２７】
一次ベルト支持部材がガイドワイヤチューブを含んでいる、請求項１５の配送システム。
【請求項２８】
遠位部分が、グラフトが抑圧状態にある間、グラフトの周囲に配置された外部保護鞘をさらに含んでいる、請求項２６の配送システム。
【請求項２９】
同側脚を対側脚からシールドする手段をさらに含んでいる、請求項１５の配送システム。
【請求項３０】
エンドバスキュラーグラフトを患者の脈管構造内の目標位置に配送すると共に、エンドバスキュラーグラフトを該目標位置で展開するように構成されたエンドバスキュラーグラフト配送システムにおいて、
管状のグラフト本体部、遠位自己拡張部材、及び第２自己拡張部材を含み、遠位自己拡張部材が、第２自己拡張部材とグラフト本体部の遠位側に配置されると共に、遠位自己拡張部材の支柱上に配置された１個以上の返しを有するエンドバスキュラーグラフトと、近位部分と遠位部分を有する細長いシャフトと、エンドバスキュラーグラフト配送システムの近位部に配置されて、遠位自己拡張部材を展開するように構成された第１ハンドルと、エンドバスキュラーグラフト配送システムの近位部に配置されて、第２自己拡張部材を展開するように構成された第２ハンドルとを備えるエンドバスキュラーグラフト配送システム。
【請求項３１】
患者の脈管構造内の目標位置への配送中に抑圧状態のエンドバスキュラーグラフトを覆うと共に、エンドバスキュラーグラフトを露出するように近位方向に引き出されるように構成された外部管状部材を更に備える請求項３０のエンドバスキュラーグラフト配送システム。
【請求項３２】
エンドバスキュラーグラフト配送システムの細長いシャフトが、ガイドワイヤルーメンを更に備える請求項３０のエンドバスキュラーグラフト配送システム。
【請求項３３】
Ｘ線透視検査で撮像可能なＸ線不透過性マーカーを更に備える請求項３０のエンドバスキュラーグラフト配送システム。
【請求項３４】
遠位自己拡張部材の１個以上の返しが、遠位自己拡張部材の夫々の支柱と一体に形成された返しを備える請求項３０のエンドバスキュラーグラフト配送システム。
【請求項３５】
エンドバスキュラーグラフトを患者の脈管構造内の目標位置に配送すると共に、エンドバスキュラーグラフトを該目標位置で展開するように構成されたエンドバスキュラーグラフト配送システムにおいて、
管状のグラフト本体部、遠位自己拡張部材、及び第２自己拡張部材を含み、遠位自己拡張部材が、第２自己拡張部材とグラフト本体部の遠位側に配置されると共に、遠位自己拡張部材の支柱上に配置された１個以上の返しを有するエンドバスキュラーグラフトと、近位部分と遠位部分を有する細長いシャフトと、抑圧されたエンドバスキュラーグラフトの回りに配置され、患者の脈管構造内の目標位置への配送中に抑圧状態のエンドバスキュラーグラフトを覆うと共に、エンドバスキュラーグラフトを露出するように近位方向に引き出されるように構成された外部管状部材と、エンドバスキュラーグラフト配送システムの近位部に配置されて、遠位自己拡張部材を展開するように構成された第１ハンドルとを備えるエンドバスキュラーグラフト配送システム。
【請求項３６】
細長いシャフトが、ガイドワイヤルーメンを更に備える請求項３５のエンドバスキュラーグラフト配送システム。
【請求項３７】
Ｘ線透視検査で撮像可能なＸ線不透過性マーカーを更に備える請求項３５のエンドバスキュラーグラフト配送システム。
【請求項３８】
遠位自己拡張部材の１個以上の返しが、遠位自己拡張部材の夫々の支柱と一体に形成された返しを備える請求項３５のエンドバスキュラーグラフト配送システム。
【請求項３９】
エンドバスキュラーグラフトを患者の脈管構造内の目標位置に配送すると共に、エンドバスキュラーグラフトを該目標位置で展開するように構成されたエンドバスキュラーグラフト配送システムにおいて、
グラフト本体部、及びグラフト本体部の遠位側に配置された遠位自己拡張部材を含むエンドバスキュラーグラフトと、近位部分と遠位部分を有する細長いシャフトと、エンドバスキュラーグラフト配送システムの近位部に配置された第１ハンドルであって、第１ハンドルを作動することによりエンドバスキュラーグラフトを部分的に展開するように構成された第１ハンドルと、エンドバスキュラーグラフト配送システムの近位部に配置されて、エンドバスキュラーグラフトの遠位自己拡張部材を展開するように構成された第２ハンドルとを備えるエンドバスキュラーグラフト配送システム。
【請求項４０】
エンドバスキュラーグラフトの遠位自己拡張部材が、患者の脈管構造内の血流によるエンドバスキュラーグラフトの軸方向移動を防止するように、展開状態で患者の脈管構造の組織に係合するように構成された１個以上の返しを備える請求項３９のエンドバスキュラーグラフト配送システム。